(57)【要約】【課題】誘電体材料からなる素体において端子電極付近での電歪効果による機械的歪みを抑制することが可能な積層コンデンサを提供すること。【解決手段】積層コンデンサＣ１は、コンデンサ素体２と、コンデンサ素体２内に配置された内部電極Ｅ１，Ｅ２と、コンデンサ素体２上に配置された第１の端子電極４，６及び第２の端子電極８，１０とを備えている。コンデンサ素体２は内部電極Ｅ１，Ｅ２に挟まれた素体部分２１を有している。第１の端子電極４，６及び第２の端子電極８，１０は電極部分４ａ，６ａ，８ａ，１０ａを有しており、かかる電極部分４ａ，６ａ，８ａ，１０ａは、矢印Ｂ方向から見て、第１及び第２の側面２ａ，２ｂにおける、素体部分２１を矢印Ｃ方向に挟み且つ該素体部分２１と重ならない複数の領域のうちいずれかの領域にそれぞれ配置されている。【選択図】図１
2008181961.tif 000002
【特許請求の範囲】
【請求項１】
誘電体材料からなる素体と、
少なくとも一部が互いに対向するように前記素体内に配置された複数の内部電極と、
前記素体上に配置されると共に、前記複数の内部電極のうち対応する内部電極にそれぞれ接続された複数の端子電極と、を備え、
前記複数の端子電極は、前記素体の外表面のうち互いに対向し且つ前記複数の内部電極が対向する第１の方向に平行な二つの側面における、該二つの側面が対向する第２の方向から見て、前記素体における前記複数の内部電極に挟まれる素体部分を前記第１及び第２の方向に直交する第３の方向に挟み且つ該素体部分と重ならない複数の領域のうちいずれかの領域に配置された電極部分をそれぞれ有することを特徴とする積層コンデンサ。
【請求項２】
前記複数の端子電極は、前記電極部分に連続し且つ前記素体の外表面のうち前記第３の方向に互いに対向する二つの側面における、前記第３の方向から見て、前記素体部分を前記第２の方向に挟み且つ該素体部分と重ならない複数の領域のうちいずれかの領域に配置された電極部分をそれぞれ更に有することを特徴とする請求項１に記載の積層コンデンサ。
【請求項３】
前記複数の端子電極は、前記電極部分に連続し且つ前記素体の外表面のうち前記第１の方向に直交する側面に配置された電極部分をそれぞれ更に有することを特徴とする請求項１又は２記載の積層コンデンサ。
【請求項４】
誘電体材料からなる素体と、
少なくとも一部が互いに対向するように前記素体内に配置された複数の内部電極と、
前記素体上に配置されると共に、前記複数の内部電極のうち対応する内部電極にそれぞれ接続された複数の端子電極と、を備え、
前記複数の端子電極は、前記素体の外表面のうち互いに対向し且つ前記複数の内部電極が対向する第１の方向に平行な二つの側面における、該二つの側面が対向する第２の方向から見て、前記素体における前記複数の内部電極に挟まれる素体部分を前記第１及び第２の方向に直交する第３の方向に挟み且つ該素体部分と重ならない複数の領域、及び、前記素体の外表面のうち前記第３の方向に互いに対向する二つの側面における、前記第３の方向から見て、前記素体部分を前記第２の方向に挟み且つ該素体部分と重ならない複数の領域のうちいずれかの領域に配置された電極部分をそれぞれ有することを特徴とする積層コンデンサ。
【発明の詳細な説明】
【技術分野】
【０００１】
本発明は、積層コンデンサに関するものである。
【背景技術】
【０００２】
この種の積層コンデンサとして、誘電体材料からなる素体と、素体内に形成された複数の内部電極と、素体上に形成された複数の端子電極とを備えたものが知られている（例えば、特許文献１参照）。
【特許文献１】特開平９−１４８１７４号公報
【発明の開示】
【発明が解決しようとする課題】
【０００３】
本発明は、誘電体材料からなる素体において端子電極付近での電歪効果による機械的歪みを抑制することが可能な積層コンデンサを提供することを課題とする。
【課題を解決するための手段】
【０００４】
ところで、誘電体材料からなる素体を備える積層コンデンサに電圧を印加すると、電歪効果により素体に印加電圧に応じた大きさの機械的歪みが生じてしまうという問題がある。特に、交流電圧を印加した場合、積層コンデンサには振動が生じてしまう。積層コンデンサを基板等に実装した場合に、こうした機械的歪みが発生すると、歪みによる振動の伝播により、基板において音鳴りが発生してしまう。
【０００５】
そこで、本発明者は、積層コンデンサを基板等に実装した際に発生する音鳴りを低減することについて鋭意検討を行った。その結果、本発明者は、音鳴りは積層コンデンサを実装する基板等と積層コンデンサとの接触部分、すなわち基板のランド電極等と積層コンデンサの端子電極との接触部分で発生するとの知見を得るに至った。本発明者は、当該知見に基づきさらなる検討を重ねた結果、素体の端子電極近傍の領域に加わる電界を抑制することで、電歪効果による素体の機械的歪みの端子電極への影響が抑制されるとの新たな事実を見出すに至った。
【０００６】
このような検討結果を踏まえ、本発明による積層コンデンサは、誘電体材料からなる素体と、少なくとも一部が互いに対向するように素体内に配置された複数の内部電極と、素体上に配置されると共に、複数の内部電極のうち対応する内部電極にそれぞれ接続された複数の端子電極と、を備え、複数の端子電極は、素体の外表面のうち互いに対向し且つ複数の内部電極が対向する第１の方向に平行な二つの側面における、該二つの側面が対向する第２の方向から見て、素体における複数の内部電極に挟まれる素体部分を第１及び第２の方向に直交する第３の方向に挟み且つ該素体部分と重ならない複数の領域のうちいずれかの領域に配置された電極部分をそれぞれ有することを特徴とする。
【０００７】
本発明に係る積層コンデンサは、素体部分を有する素体と、素体内に配置された複数の内部電極と、素体上に配置された複数の端子電極とを備えている。素体部分は複数の内部電極に挟まれてなる部分であるため電歪効果を発生するが、各端子電極の電極部分は第２の方向から見てこの素体部分と重ならない領域に配されている。このような領域は、素体部分から離れているために素体部分で電歪効果が発生してもその影響を受けにくい。これにより、素体の電歪効果によって端子電極が受ける影響が低減され、この積層コンデンサでは端子電極付近での電歪効果による機械的歪みを抑制することが可能となる。また、本発明に係る積層コンデンサでは、端子電極の電極部分は、第２の方向に対向する二つの側面において、素体部分を第３の方向に挟む領域に配置されている。この場合、側面全体を覆うように端子電極を形成する従来の積層コンデンサと比べて、端子電極の面積が小さくなるため、電歪効果によって歪んだ素体に端子電極の電極部分が引っ張られたとしても、積層コンデンサを実装した基板等に与える影響を小さくできる。
【０００８】
また、本発明の積層コンデンサでは、複数の端子電極は、電極部分に連続し且つ素体の外表面のうち第３の方向に互いに対向する二つの側面における、第３の方向から見て、素体部分を第２の方向に挟み且つ該素体部分と重ならない複数の領域のうちいずれかの領域に配置された電極部分をそれぞれ更に有することが好ましい。この場合、第３の方向に対向する二つの側面にも電極部分を配することとなるので、基板のランド電極と積層コンデンサの端子電極との接続がいっそうし易くなる。各端子電極の電極部分は第３の方向から見て素体部分と重ならない領域に配されているため、素体部分で電歪効果が発生しても端子電極の電極部分はその影響を受けにくくなる。
【０００９】
また、本発明の積層コンデンサでは、複数の端子電極は、電極部分に連続し且つ素体の外表面のうち第１の方向に直交する側面に配置された電極部分をそれぞれ更に有することが好ましい。この場合、第１の方向に直交する側面にも電極部分を配することとなるので、基板のランド電極と積層コンデンサの端子電極との接続がより容易になる。
【００１０】
また、本発明の積層コンデンサは、誘電体材料からなる素体と、少なくとも一部が互いに対向するように素体内に配置された複数の内部電極と、素体上に配置されると共に、複数の内部電極のうち対応する内部電極にそれぞれ接続された複数の端子電極と、を備え、複数の端子電極は、素体の外表面のうち互いに対向し且つ複数の内部電極が対向する第１の方向に平行な二つの側面における、該二つの側面が対向する第２の方向から見て、素体における複数の内部電極に挟まれる素体部分を第１及び第２の方向に直交する第３の方向に挟み且つ該素体部分と重ならない複数の領域、及び、素体の外表面のうち第３の方向に互いに対向する二つの側面における、第３の方向から見て、素体部分を第２の方向に挟み且つ該素体部分と重ならない複数の領域のうちいずれかの領域に配置された電極部分をそれぞれ有することを特徴とする。
【００１１】
本発明に係る積層コンデンサは、素体部分を有する素体と、素体内に配置された複数の内部電極と、素体上に配置された複数の端子電極とを備えている。各端子電極は電極部分を有しており、かかる電極部分は第２の方向に対向する二つの側面、及び、第３の方向に対向する二つの側面のうちのいずれかに配置されている。第２の方向に対向する二つの側面では、電極部分は第２の方向から見て素体部分と重ならない領域に配されている。また、第３の方向に対向する二つの側面では、電極部分は第３の方向から見て素体部分と重ならない領域に配されている。これにより、いずれの電極部分も素体部分から遠ざかることとなるため、素体部分で電歪効果が発生しても端子電極はその影響を受けにくくなる。これにより、素体の電歪効果によって端子電極が受ける影響が低減され、この積層コンデンサでは端子電極付近での電歪効果による機械的歪みを抑制することが可能となる。また、本発明に係る積層コンデンサは、第２の方向に対向する二つの側面にも第３の方向に対向する二つの側面にも電極部分を有するので、基板のランド電極と接続し易くなる。
【発明の効果】
【００１２】
本発明によれば、誘電体材料からなる素体において端子電極付近での電歪効果による機械的歪みを抑制することが可能な積層コンデンサを提供することができる。
【発明を実施するための最良の形態】
【００１３】
以下、添付図面を参照して、好適な実施形態について詳細に説明する。なお、説明において、同一要素又は同一機能を有する要素には、同一符号を用いることとし、重複する説明は省略する。
【００１４】
（第１実施形態）
図１及び図２に基づいて、第１実施形態に係る積層コンデンサＣ１の構成について説明する。図１は本実施形態に係る積層コンデンサの図であって、図１（ａ）は斜視図であり、図１（ｂ）は側面図である。図２は、本実施形態に係る積層コンデンサの断面図である。なお、図２において断面のハッチングは省略している。
【００１５】
積層コンデンサＣ１は、図１に示すように、コンデンサ素体(素体)２と、複数（本実施形態では２つ）の内部電極Ｅ１，Ｅ２と、複数（本実施形態では４つ）の第１の端子電極４，６及び第２の端子電極８，１０とを備えている。
【００１６】
コンデンサ素体２は誘電体材料からなるものであって、コンデンサ素体２の内部には内部電極Ｅ１，Ｅ２が配置されている。より具体的には、コンデンサ素体２においては、図示しない誘電体層を介在させて内部電極Ｅ１，Ｅ２が積層されている。図示しない誘電体層は、例えば誘電体セラミックを含むセラミックグリーンシートの焼結体から構成される。内部電極Ｅ１，Ｅ２は、導電性ペーストの焼結体から構成される。
【００１７】
コンデンサ素体２は略直方体形状を呈しており、互いに対向し且つ矢印Ａ方向（第１の方向）に平行な第１の側面２ａ及び第２の側面２ｂと、互いに対向すると共に第１及び第２の側面２ａ，２ｂに連続し且つ矢印Ａ方向に平行な第３の側面２ｃ及び第４の側面２ｄと、互いに対向すると共に第１〜第４の側面２ａ〜２ｄに連続し且つ矢印Ａ方向に直交する第５の側面２ｅ及び第６の側面２ｆとを有している。ここで、矢印Ａ方向は内部電極Ｅ１，Ｅ２が対向する方向を指す。なお、図１に示される矢印Ｂは第１の側面２ａ及び第２の側面２ｂが対向する方向を指し、矢印Ｃは矢印Ａ方向及び矢印Ｂ方向の直交方向を指す。したがって、例えば第３及び第４の側面２ｃ，２ｄは第１及び第２の側面２ａ，２ｂに連続し且つ矢印Ｃに互いに対向しているともいえる。
【００１８】
内部電極Ｅ１は、図２（ａ）に示すように、主電極部１２と、引き出し電極部１４，１６とを含んでいる。主電極部１２は長方形状を呈しており、コンデンサ素体２の略中央部分に位置している。引き出し電極部１４，１６は、主電極部１２から伸び、第１の側面２ａに引き出されている。引き出し電極部１４は第１の端子電極４の電極部分４ａと、引き出し電極部１６は第１の端子電極６の電極部分６ａと、それぞれ電気的且つ物理的に接続されている。
【００１９】
内部電極Ｅ２は、図２（ｂ）に示すように、主電極部１７と、引き出し電極部１８，２０とを含んでいる。主電極部１７は長方形状を呈しており、コンデンサ素体２の略中央部分に位置している。引き出し電極部１８，２０は、主電極部１７から伸び、第２の側面２ｂに引き出されている。引き出し電極部１８は第２の端子電極８と、引き出し電極部２０は第２の端子電極１０と、それぞれ電気的且つ物理的に接続されている。
【００２０】
内部電極Ｅ１，Ｅ２は、矢印Ａ方向から見たときに内部電極Ｅ１の主電極部１２と内部電極Ｅ２の主電極部１７とが重なるように配置されている。これにより、図１（ｂ）に示すように、コンデンサ素体２において内部電極Ｅ１の主電極部１２と内部電極Ｅ２の主電極部１７とに挟まれる部分が存在することとなる。以後、この部分を素体部分２１と呼ぶ。
【００２１】
コンデンサ素体２上には、断面コの字状の第１の端子電極４，６及び第２の端子電極８，１０が配置されている。第１の端子電極４は電極部分４ａ，４ｂを有し、第１の端子電極６は電極部分６ａ，６ｂを有し、第２の端子電極８は電極部分８ａ，８ｂを有し、第２の端子電極１０は電極部分１０ａ，１０ｂを有している。第１の端子電極４，６及び第２の端子電極８，１０は、例えば、導電性金属粉末及びガラスフリットを含む導電性ペーストをコンデンサ素体２の対応する外表面に焼き付けることによって形成される。なお、必要に応じて、焼き付けられた電極の上にめっき層が形成されることもある。
【００２２】
第１の端子電極４，６の電極部分４ａ，６ａは第１の側面２ａに位置している。図１（ｂ）に示すように、第１の側面２ａにおいて第１の端子電極４，６の電極部分４ａ，６ａは、矢印Ｂ方向から見て、素体部分２１を矢印Ｃ方向に挟み且つ該素体部分２１と重ならない複数の領域のうちいずれかの領域にそれぞれ配置されている。本実施形態では、素体部分２１を矢印Ｃ方向に挟み且つ該素体部分２１と重ならない二つの領域のうち、第３の側面２ｃ側の領域に電極部分４ａが配置されており、第４の側面２ｄ側の領域に電極部分６ａが配置されている。
【００２３】
第２の端子電極８，１０の電極部分８ａ，１０ａは第２の側面２ｂに位置している。第２の側面２ｂにおいて電極部分８ａは、矢印Ｂ方向から見たときに、素体部分２１を矢印Ｃ方向に挟み且つ該素体部分２１と重ならない二つの領域のうち、第３の側面２ｃ側の領域に配置されている。第２の側面２ｂにおいて電極部分１０ａａは、矢印Ｂ方向から見たときに、素体部分２１を矢印Ｃ方向に挟み且つ該素体部分２１と重ならない二つの領域のうち、第４の側面２ｄ側に配置されている。電極部分８ａは第１の端子電極４の電極部分４ａと、電極部分１０ａは第１の端子電極６の電極部分６ａとそれぞれ対向配置されている。
【００２４】
第１の端子電極４の電極部分４ｂは電極部分４ａと連続しており、第１の端子電極６の電極部分６ｂは電極部分６ａと連続している。第２の端子電極８の電極部分８ｂは電極部分８ａと連続しており、第２の端子電極１０の電極部分１０ｂは電極部分１０ａと連続している。電極部分４ｂ，６ｂ，８ｂ，１０ｂはコンデンサ素体２の第５の側面２ｅにそれぞれ配置されている。
【００２５】
図２（ａ）に示すように、コンデンサ素体２は、矢印Ａ方向から見たときに、第１の端子電極４の電極部分４ａと第２の端子電極８の電極部分８ａで挟まれた領域Ａ１と、第１の端子電極６の電極部分６ａと第２の端子電極１０の電極部分１０ａとで挟まれた領域Ａ２と、第１の端子電極４，６の電極部分４ｂ，６ｂで挟まれた領域Ａ３と、第２の端子電極８，１０の電極部分８ｂ，１０ｂで挟まれた領域Ａ４とを有している。電極部分４ａ，６ａ，８ａ，１０ａは上述した位置に配置されていることから、領域Ａ１，Ａ２は内部電極Ｅ１，Ｅ２の主電極部１２，１７と重ならずに、主電極部１２，１７を矢印Ｃ方向に挟むように位置することとなる。また、本実施形態においては、領域Ａ３，Ａ４もまた内部電極Ｅ１，Ｅ２の主電極部１２，１７と重なりを有しておらず、主電極部１２，１７を矢印Ｂ方向に挟むように位置している。
【００２６】
以上の構成を有する積層コンデンサＣ１の動作について説明する。第１の端子電極４，６及び第２の端子電極８，１０を基板のランド電極等に接続し、第１の端子電極４，６及び第２の端子電極８，１０を介して内部電極Ｅ１，Ｅ２に電圧を印加すると、内部電極Ｅ１の主電極部１２と内部電極Ｅ２の主電極部１７とに挟まれた素体部分２１において、電歪効果が発生する。素体部分２１に発生した電歪効果により、内部電極Ｅ１，Ｅ２の主電極部１２，１７が伸縮する。第１の端子電極４の電極部分４ａと第２の端子電極８の電極部分８ａで挟まれた領域Ａ１、及び第１の端子電極６の電極部分６ａと第２の端子電極１０の電極部分１０ａとで挟まれた領域Ａ２は主電極部１２，１７及び素体部分２１と重なっていないため、主電極部１２，１７の伸縮によるコンデンサ素体２の機械的歪みは、領域Ａ１，Ａ２にて緩和されることとなる。その結果、コンデンサ素体２の機械的歪みにより第１の端子電極４，６及び第２の端子電極８，１０が引っ張られるという現象が生じにくくなる。
【００２７】
したがって、積層コンデンサＣ１を基板等に実装し、電圧を加えた場合であっても、基板等において発生する音鳴りは抑制される。
【００２８】
また、積層コンデンサＣ１では、第１の端子電極４，６の電極部分４ｂ，６ｂで挟まれた領域Ａ３、及び第２の端子電極８，１０の電極部分８ｂ，１０ｂで挟まれた領域Ａ４もまた主電極部１２，１７及び素体部分２１と重なっていない。したがって、主電極部１２，１７の伸縮によるコンデンサ素体２の機械的歪みを、領域Ａ１，Ａ２だけでなく領域Ａ３，Ａ４においても緩和することができるため、コンデンサ素体２の機械的歪みにより第１の端子電極４，６及び第２の端子電極８，１０が引っ張られるという現象がより生じにくくなる。
【００２９】
また、積層コンデンサＣ１では、端子電極の形成範囲が、コンデンサ素体２の第１及び第２の側面２ａ，２ｂ全体を覆うように端子電極を形成した場合と比して狭い。このため、電歪効果によって歪んだコンデンサ素体２に第１の端子電極４，６及び第２の端子電極８，１０が引っ張られたとしても、積層コンデンサＣ１を実装する基板等に与える影響を小さくすることができる。
【００３０】
また、積層コンデンサＣ１において、第１の端子電極４，６及び第２の端子電極８，１０は、第１及び第２の側面２ａ，２ｂだけでなく第５の側面２ｅにも電極部分を有している。そのため、基板のランド電極と積層コンデンサＣ１との接続が容易となる。
【００３１】
（第２実施形態）
図３及び図４を参照して、第２実施形態に係る積層コンデンサについて説明する。第２実施形態に係る積層コンデンサは、端子電極の位置が第１実施形態に係る積層コンデンサＣ１と相違する。図３は、本実施形態に係る積層コンデンサの図であって、図３（ａ）は斜視図であり、図３（ｂ），（ｃ）は側面図である。図４は、本実施形態に係る積層コンデンサの断面図である。なお、図４において断面のハッチングは省略している。
【００３２】
第２実施形態に係る積層コンデンサＣ２は、図３に示すように、コンデンサ素体２２と、内部電極Ｅ３，Ｅ４と、第１の端子電極２４，２６及び第２の端子電極２８，３０とを備えている。
【００３３】
コンデンサ素体２２においては、図示しない誘電体層を介在させて内部電極Ｅ３，Ｅ４が積層されている。コンデンサ素体２２は略直方体形状を呈しており、第１〜第６の側面２２ａ〜２２ｆを有している。コンデンサ素体２２の第１〜第６の側面２２ａ〜２２ｆは、第１実施形態に係るコンデンサ素体２の第１〜第６の側面２ａ〜２ｆに相当する。また、コンデンサ素体２２の内部電極Ｅ３，Ｅ４及び誘電体層は、第１実施形態に係るコンデンサ素体２の内部電極Ｅ１，Ｅ２及び誘電体層と同様の材料で形成される。
【００３４】
内部電極Ｅ３は、図４（ａ）に示すように、主電極部３２と、主電極部３２から伸びる引き出し電極部３４，３６とを含んでいる。主電極部３２は長方形状を呈しており、コンデンサ素体２２の略中央部分に位置している。引き出し電極部３４は、主電極部３２から伸び、第１及び第３の側面２２ａ，２２ｃが交差してなる稜線部に引き出されて第１の端子電極２４と電気的且つ物理的に接続されている。引き出し電極部３６は、主電極部３２から伸び、第１及び第４の側面２２ａ，２２ｄが交差してなる稜線部に引き出されて第１の端子電極２６と電気的且つ物理的に接続されている。
【００３５】
内部電極Ｅ４は、図４（ｂ）に示すように、主電極部３７と、主電極部３７から伸びる引き出し電極部３８，４０とを含んでいる。主電極部３７は長方形状を呈しており、コンデンサ素体２２の略中央部分に位置している。引き出し電極部３８は、主電極部３７から伸び、第２及び第３の側面２２ｂ，２２ｃが交差してなる稜線に引き出されて第２の端子電極２８と電気的且つ物理的に接続されている。引き出し電極部４０は、主電極部３７から伸び、第２及び第４の側面２２ｂ，２２ｄが交差してなる稜線部に引き出されて第２の端子電極３０と電気的且つ物理的に接続されている。
【００３６】
内部電極Ｅ３，Ｅ４は、矢印Ａ方向から見たときに内部電極Ｅ３の主電極部３２と内部電極Ｅ４の主電極部３７とが重なるように配置されている。これにより、図３（ｂ），（ｃ）に示すように、コンデンサ素体２２において、内部電極Ｅ３の主電極部３２と内部電極Ｅ４の主電極部３７とに挟まれる部分が存在することとなる。以後、この部分を素体部分４１と呼ぶ。
【００３７】
コンデンサ素体２２上には、断面コの字状の第１の端子電極２４，２６及び第２の端子電極２８，３０が配置されている。第１の端子電極２４は電極部分２４ａ，２４ｂ，２４ｃを有し、第１の端子電極２６は電極部分２６ａ，２６ｂ，２６ｃを有し、第２の端子電極２８は電極部分２８ａ，２８ｂ，２８ｃを有し、第２の端子電極３０は電極部分３０ａ，３０ｂ，３０ｃを有している。第１の端子電極２４，２６及び第２の端子電極２８，３０の材料および形成方法は、第１実施形態に係る第１の端子電極４，６及び第２の端子電極８，１０と同様である。
【００３８】
第１の端子電極２４，２６の電極部分２４ａ，２６ａは第１の側面２２ａに位置している。第１の側面２２ａにおいて第１の端子電極２４，２６の電極部分２４ａ，２６ａは、図３（ｂ）に示すように、矢印Ｂ方向から見て、素体部分４１を矢印Ｃ方向に挟み且つ該素体部分４１と重ならない複数の領域のうちいずれかの領域にそれぞれ配置されている。本実施形態では、素体部分４１を矢印Ｃ方向に挟み且つ該素体部分４１と重ならない二つの領域のうち、第３の側面２２ｃ側の領域に電極部分２４ａが配置されており、第４の側面２２ｄ側の領域に電極部分２６ａが配置されている。
【００３９】
第２の端子電極２８，２０の電極部分２８ａ，３０ａは第２の側面２２ｂに位置し、矢印Ｂ方向から見たときに、素体部分４１を矢印Ｃ方向に挟み且つ該素体部分４１と重ならない二つの領域のうち、第３の側面２２ｃ側の領域に電極部分２８ａが配置されており、第４の側面２２ｄ側の領域に電極部分３０ａが配置されている。電極部分２８ａは第１の端子電極２４の電極部分２４ａと、電極部分３０ａは第１の端子電極２６の電極部分２６ａとそれぞれ対向配置されている。
【００４０】
第１の端子電極２４の電極部分２４ｂは電極部分２４ａと連続し且つ第３の側面２２ｃに位置している。第１の端子電極２６の電極部分２６ｂは電極部分２６ａと連続し且つ第４の側面２２ｄに位置している。第２の端子電極２８の電極部分２８ｂは電極部分２８ａと連続し且つ第３の側面２２ｃに位置している。第２の端子電極３０の電極部分３０ｂは電極部分３０ａと連続し且つ第４の側面２２ｄに位置している。
【００４１】
図３（ｃ）に示すように、第３の側面２２ｃにおいて電極部分２４ｂ，２８ｂは、矢印Ｃ方向から見て、素体部分４１を矢印Ｂ方向に挟み且つ該素体部分４１と重ならない複数の領域のうちいずれかの領域にそれぞれ配置されている。本実施形態では、素体部分４１を矢印Ｂ方向に挟み且つ該素体部分４１と重ならない２つの領域のうち、第１の側面２２ａ側の領域には電極部分２４ｂが配置されており、第２の側面２２ｂ側の領域には電極部分２８ｂが配置されている。
【００４２】
第４の側面２２ｄにおいて第１の端子電極２６の電極部分２６ｂは第１の端子電極２４の電極部分２４ｂと、第２の端子電極３０の電極部分３０ｂは第２の端子電極２８の電極部分２８ｂとそれぞれ対向配置されている。矢印Ｃ方向から第４の側面２２ｄを見たときに、素体部分４１を矢印Ｂ方向に挟み且つ該素体部分４１と重ならない二つの領域のうち、第１の側面２２ａ側の領域には電極部分２６ｂが配置されており、第２の側面２２ｂ側の領域には電極部分３０ｂが配置されている。
【００４３】
このように配置された第１の端子電極２４の電極部分２４ａ，２４ｂは第１及び第３の側面２２ａ，２２ｃが交差してなる稜線部を覆っており、第１の端子電極２６の電極部分２６ａ，２６ｂは第１及び第４の側面２２ａ，２２ｄが交差してなる稜線部を覆っており、第２の端子電極２８の電極部分２８ａ，２８ｂは第２及び第３の側面２２ｂ，２２ｃが交差してなる稜線部を覆っており、第２の端子電極３０の電極部分３０ａ，３０ｂは第２及び第４の側面２２ｂ，２２ｄが交差してなる稜線部を覆っている。
【００４４】
第１の端子電極４の電極部分２４ｃは電極部分２４ａ，２４ｂと連続しており、第１の端子電極２６の電極部分２６ｃは電極部分２６ａ，２６ｂと連続しており、第２の端子電極２８の電極部分２８ｃは電極部分２８ａ，２８ｂと連続しており、第２の端子電極３０の電極部分３０ｃは電極部分３０ａ，３０ｂと連続している。電極部分２４ｃ，２６ｃ，２８ｃ，３０ｃはコンデンサ素体２２の第５の側面２２ｅにそれぞれ位置している。
【００４５】
図４（ａ）に示すように、コンデンサ素体２２は、矢印Ａ方向から見たときに、第１の端子電極２４の電極部分２４ａと第２の端子電極２８の電極部分２８ａとで挟まれた領域Ａ５、第１の端子電極２６の電極部分２６ａと第２の端子電極３０の電極部分３０ａとで挟まれた領域Ａ６、第１の端子電極２４の電極部分２４ｂと第１の端子電極２６の電極部分２６ｂとで挟まれた領域Ａ７、及び、第２の端子電極２８の電極部分２８ｂと第２の端子電極３０の電極部分３０ｂとで挟まれた領域Ａ８を有している。電極部分２４ａ，２４ｂ，２６ａ，２６ｂ，２８ａ，２８ｂ，３０ａ，３０ｂは上述した位置に配置されていることから、領域Ａ５〜Ａ８は内部電極Ｅ３，Ｅ４の主電極部３２，３７と重ならずに、主電極部３２，３７を囲むように位置することとなる。
【００４６】
以上の構成を有する積層コンデンサＣ２では、第１の端子電極２４，２６及び第２の端子電極２８，３０を介して内部電極Ｅ３，Ｅ４に電圧を印加すると、内部電極Ｅ３の主電極部３２と内部電極Ｅ４の主電極部３７とに挟まれた素体部分４１において、電歪効果が発生する。発生した電歪効果により内部電極Ｅ３，Ｅ４の主電極部３２，３７が伸縮するが、かかる伸縮によるコンデンサ素体２２の機械的歪みは、主電極部３２，３７及び素体部分４１と重なっていない領域Ａ５〜Ａ８にて緩和される。その結果、コンデンサ素体２２の機械的歪みにより第１の端子電極２４，２６及び第２の端子電極２８，３０が引っ張られるという現象が生じにくくなる。
【００４７】
したがって、第１実施形態に係る積層コンデンサＣ１と同じく、積層コンデンサＣ２を基板等に実装し、第１の端子電極２４，２６及び第２の端子電極２８，３０に電圧を加えた場合であっても、基板等において発生する音鳴りは抑制される。
【００４８】
また、４つの端子電極２４，２６，２８，３０をコンデンサ素体２２の４つの稜線部に配することにより、第１〜第４の側面２２ａ〜２２ｄ全てに端子電極が存在することとなるため、基板のランド電極と積層コンデンサＣ２とが接続し易くなる。
【００４９】
（第３実施形態）
図５及び図６を参照して、第３実施形態に係る積層コンデンサについて説明する。第３実施形態に係る積層コンデンサは、端子電極の位置が第１及び第２実施形態に係る積層コンデンサＣ１，Ｃ２と相違する。図５は本実施形態に係る積層コンデンサを説明するための図であって、図５（ａ）は斜視図であり、図５（ｂ）は上面図である。
【００５０】
第３実施形態に係る積層コンデンサＣ３は、コンデンサ素体２２と、内部電極Ｅ３，Ｅ４と、第１の端子電極４４，４６，５２，５６及び第２の端子電極４８，５０，５４，５８とを備えている。コンデンサ素体２２及び内部電極Ｅ３，Ｅ４は、第２実施形態に係る積層コンデンサＣ２のコンデンサ素体２２及び内部電極Ｅ３，Ｅ４と同様の構成を有している。
【００５１】
コンデンサ素体２上には、断面コの字状の第１の端子電極４４，４６，５４，５６及び第２の端子電極４８，５０，５８，６０が配置されている。第１の端子電極４４，４６，５４，５６及び第２の端子電極４８，５０，５８，６０は、電極部分４４ａ，４６ａ，５４ａ，５６ａ，４８ａ，５０ａ，５８ａ，６０ａを有している。第１の端子電極４４，４６，５４，５６及び第２の端子電極４８，５０，５８，６０の材料および形成方法は、第１実施形態に係る積層コンデンサＣ１の第１の端子電極４，６及び第２の端子電極８，１０と同様である。
【００５２】
第１の端子電極４４，４６の電極部分４４ａ，４６ａは第１の側面２２ａに位置している。第１の側面２２ａにおいて電極部分４４ａ，４６ａは、第２実施形態に係る積層コンデンサＣ２の電極部分２４ａ，２６ａと同様に、矢印Ｂ方向から見て、素体部分４１を矢印Ｃ方向に挟み且つ該素体部分４１と重ならない複数の領域のうちいずれかの領域にそれぞれ配置されている。本実施形態では、素体部分４１を矢印Ｃ方向に挟み且つ該素体部分４１と重ならない２つの領域のうち、第３の側面２２ｃ側の領域に電極部分４４ａが配置されており、第４の側面２２ｄ側の領域に電極部分４６ａが配置されている。
【００５３】
第２の端子電極４８，５０の電極部分４８ａ，５０ａは第２の側面２２ｂに位置しており、電極部分４８ａは第１の端子電極４４の電極部分４４ａと、電極部分５０ａは第１の端子電極４６の電極部分４６ａとそれぞれ対向配置されている。
【００５４】
第１の端子電極５４の電極部分５４ａは第３の側面２２ｃに位置している。第１の端子電極５６の電極部分５６ａは第４の側面２２ｄに位置している。第２の端子電極５８の電極部分５８ａは第３の側面２２ｃに位置している。第２の端子電極６０の電極部分６０ａは第４の側面２２ｄに位置している。第３の側面２２ｃにおいて電極部分５４ａ，５８ａは、第２実施形態に係る積層コンデンサＣ２の電極部分２４ｂ，２８ｂと同様に、矢印Ｃ方向から見て、素体部分４１を矢印Ｂ方向に挟み且つ該素体部分４１と重ならない複数の領域のうちいずれかの領域にそれぞれ配置されている。本実施形態では、素体部分４１を矢印Ｂ方向に挟み且つ該素体部分４１と重ならない２つの領域のうち、第１の側面２２ａ側の領域に電極部分５４ａが配置されており、第２の側面２２ｂ側の領域に電極部分５８ａが配置されている。第４の側面２２ｄにおいて第１の端子電極５６の電極部分５６ａは第１の端子電極５４の電極部分５４ａと、第２の端子電極６０の電極部分６０ａは第２の端子電極５８の電極部分５８ａとそれぞれ対向配置されている。
【００５５】
図５（ｂ）に示すように、コンデンサ素体２２は、矢印Ａ方向から見たときに、第１の端子電極４４の電極部分４４ａと第２の端子電極４８の電極部分４８ａとで挟まれた領域Ａ９、第１の端子電極４６の電極部分４６ａと第２の端子電極５０の電極部分５０ａとで挟まれた領域Ａ１０、第１の端子電極５４の電極部分５４ａと第１の端子電極５６の電極部分５６ａとで挟まれた領域Ａ１１、及び、第２の端子電極５８の電極部分５８ａと第２の端子電極６０の電極部分６０ａとで挟まれた領域Ａ１２とを有している。電極部分４４ａ，４６ａ，５４ａ，５６ａ，４８ａ，５０ａ，５８ａ，６０ａは上述した位置に配置されていることから、領域Ａ９〜Ａ１２は主電極部３２，３７と重なりを有しておらず、主電極部３２，３７を囲むように位置することとなる。
【００５６】
このような構成を有する積層コンデンサＣ３は、第１の端子電極４４，４６，５４，５６及び第２の端子電極４８，５０，５８，６０を介して内部電極Ｅ３，Ｅ４に電圧を印加すると、素体部分４１において電歪効果が発生し、発生した電歪効果により内部電極Ｅ３，Ｅ４の主電極部３２，３７が伸縮するが、かかる伸縮によるコンデンサ素体２２の機械的歪みは、主電極部３２，３７及び素体部分４１と重なっていない領域Ａ９〜Ａ１２にて緩和される。そのため、第１および第２実施形態に係る積層コンデンサＣ１，Ｃ２と同じく、積層コンデンサＣ３を基板等に実装した場合であっても、基板等において発生する音鳴りは抑制される。また、積層コンデンサＣ３は第１〜第４の側面２２ａ〜２２ｆに電極部分を有するため、基板のランド電極との接続がし易くなる。
【００５７】
以上、本発明の好適な実施形態について説明してきたが、本発明は必ずしも上述した実施形態に限定されるものではなく、その要旨を逸脱しない範囲で様々な変更が可能である。
【００５８】
例えば、内部電極の積層数、第１及び第２の端子電極の数は、上記実施形態での数に限られない。また、各端子電極の断面はコの字状ではなくＬ字状あるいはＩ字状であってもよく、例えば第１実施形態において、第１の端子電極４，６及び第２の端子電極８，１０は電極部分４ｂ，６ｂ，８ｂ，１０ｂを有していなくてもよい。
【００５９】
また、第１実施形態において、領域Ａ１〜Ａ４は主電極部１２，１７及び素体部分２１と重なりを有さないとしたが、領域Ａ１〜Ａ４のいずれか少なくとも一つが主電極部１２，１７及び素体部分２１と重なりを有さなければよい。図６は、積層コンデンサＣ１の変形例に係る断面図である。この積層コンデンサでは、領域Ａ３，Ａ４が内部電極Ｅ１，Ｅ２の主電極部１２，１７と重なっているが、領域Ａ１，Ａ２が主電極部１２，１７及び素体部分２１と重なっていないので、コンデンサ素体２の機械的歪により第１の端子電極４，６及び第２の端子電極８，１０が引っ張られることを抑制できる。しかしながら、第１の端子電極４，６及び第２の端子電極８，１０が引っ張られることをより確実に抑制するためには、領域Ａ１〜Ａ４全てが主電極部１２，１７ひいては素体部分２１と重なりを有さないことが望ましい。
【図面の簡単な説明】
【００６０】
【図１】第１実施形態に係る積層コンデンサの斜視図及び側面図である。
【図２】第１実施形態に係る積層コンデンサの断面図である。
【図３】第２実施形態に係る積層コンデンサの斜視図及び側面図である。
【図４】第２実施形態に係る積層コンデンサの断面図である。
【図５】第３実施形態に係る積層コンデンサの斜視図及び上面図である。
【図６】第１実施形態に係る積層コンデンサの変形例の断面図である。
【符号の説明】
【００６１】
Ｃ１〜Ｃ３…積層コンデンサ、Ｅ１，Ｅ２，Ｅ３，Ｅ４…内部電極、２，２２…コンデンサ素体、２ａ，２２ａ…第１の側面、２ｂ，２２ｂ…第２の側面、２ｃ，２２ｃ…第３の側面、２ｄ，２２ｄ…第４の側面、２ｅ，２２ｅ…第５の側面、２ｆ，２２ｆ…第６の側面、４，６，２４，２６，４４，４６，５４，５６…第１の端子電極、８，１０，２８，３０，４８，５０，５８，６０…第２の端子電極、２１，４１…素体部分。
【図１】
2008181961.tif 000003
【図２】
2008181961.tif 000004
【図３】
2008181961.tif 000005
【図４】
2008181961.tif 000006
【図５】
2008181961.tif 000007
【図６】
2008181961.tif 000008